(57)【要約】【課題】フィン間隔を従来のものより狭くしても目詰まりが生じにくくさせることにより、フィンの数を増加させることができ、それによって、放熱特性を向上させることのできるヒートシンクを提供しようとする。【解決手段】基板１０２上にフィン１０１が列設されるヒートシンク１００を前提とする。隣り合うフィン１０１端部を結んだ線が、平面視で、フィン１０１長手方向に沿った線に直交する直線とならないように、フィン１０１端部を不揃いに列設させた。【選択図】　　　　図１
2004111690.tif 000002
【特許請求の範囲】
【請求項１】
基板上にフィンが列設されるヒートシンクにおいて、隣り合うフィン端部を結んだ線が、平面視で、フィン長手方向に沿った線に直交する直線とならないように、フィン端部を不揃いに列設させたことを特徴とする放熱効果の良好なヒートシンク。
【発明の詳細な説明】
【０００１】
【発明の属する技術分野】
この発明は、冷却効率が低下しないヒートシンクに関する。
【０００２】
【従来の技術】
ファンにより強制的にフィンを空冷するケースでは、半導体素子を冷却するヒートシンクは、放熱面積が大きいほど放熱効果があがるので、単位面積あたりのフィンの数は多いほどよく、そうすると、フィンの数を増やすためにフィン間はできるだけ狭い方がよい。
【０００３】
【発明が解決しようとする課題】
ファンにより強制的にフィンを空冷するケースでは、塵や埃の多い場所においては、図１７（図１３の端部拡大図である）に示すように、徐々にフィン先端に塵や埃がたまり、目詰まりの原因となる。目詰まりを起こせば、空冷効果が減殺され、放熱特性が悪化する。このような目詰まりは、フィン間の間隔が狭ければ狭いほど起きやすくなるので、塵や埃の多い場所で使われるフィンにおいては、その目詰まりによる放熱効果の低下を考慮して、最少の間隔が設定されている。
【０００４】
すなわち、従来は、フィン間の目詰まりを防止する観点から、フィン間の間隔を狭くすることに制約が課されており、フィン間の間隔を狭くすることでフィンの数を増やし、それによって放熱効果を向上させることに限界があった。
【０００５】
この発明は、従来技術の以上のような問題に鑑み創案されたもので、フィン間隔を従来のものより狭くしても目詰まりが生じにくくさせることにより、フィンの数を増加させることができ、それによって、放熱特性を向上させることのできるヒートシンクを提供しようとするものである。
【０００６】
【課題を解決しようとする手段】
このため、この発明に係るヒートシンクは、基板上にフィンが列設されるヒートシンクにおいて、隣り合うフィン端部を結んだ線が、平面視で、フィン長手方向に沿った線に直交する直線とならないように、フィン端部を不揃いに列設させたことを特徴とする。
【０００７】
ここで、基板上にフィンが列設されるヒートシンクとしては、後述する形態例に示すように、コルゲートフィンが基板に固着されるものも含む。このようなフィンが一体型の場合、隣り合うフィン端部におけるフィンというのは、基板から立ち上がる側板部分を指すものとする。
【０００８】
また、前記端部が不揃いに列設されるのは、すべての隣り合うフィン相互である必要はなく、一部のフィン相互であっても良い。また、フィンの一端部側が不揃いであっても、両端部側とも不揃いであってもいずれでも良い。
【０００９】
【作用】
図１２及び図１３を用いて作用を説明する。図１２は本発明の一形態例を、図１３は従来構造をそれぞれ示し、いずれの図においても、（ａ）は正面図、（ｂ）は平面図である。
【００１０】
図１３に示す従来のヒートシンク２は、列設されるフィン間隔がＡで示されているが、この間隔Ａは、それより狭くなると目詰まりによって空気の流れが完全に遮断されてしまう限界の間隔を想定している。一方、図１２に示す本発明の形態例１は、隣り合うフィン端部を結んだ線がジグザグ状に形成されている構造である。すなわち、平面視で、隣り合うフィン端部を結んだ線が、フィン長手方向に沿った線に直交する直線とならないように、フィン端部が不揃いに形成されている。列設されるフィン間隔は、図１３と同様にＡであるが、隣り合うフィン端部（この例では一方側のみ）のどちらかが内側に入り込んでいるので、隣り合うフィン端部の間隔はＡより広いＢとなる。すなわち、換言すれば、隣り合うフィン端部の間隔をＡに設定すれば、目詰まりを気にすることなく、同図１２に示すように、フィン自体の間隔を、従来限界値であったミニマムのＡより短くすることができ、図１３と同じ幅のヒートシンクを製造するのであれば、列設するフィンの数をより多くすることが可能となる。このため、本発明の構造によれば、従来構造より、フィンの数をより多くして放熱特性をより向上させることができる。
【００１１】
【発明の実施の形態】
本発明の具体的実施形態例を図面に基づき説明する。なお、以下の形態例はあくまで一例であり、本発明が本形態例に限定されるものでないことは当然である。
【００１２】
図１は第１形態例を示し、同図（ａ）が正面図、（ｂ）が平面図である。このヒートシンク１００は、アルミ押出材で、列設されるフィン１０１と基板１０２とが一体的に形成された後、フィン１０１の一端側において、列設されるフィン１０１について１個おきにその端部を切除した例である。図示のように、フィン１０１の一端側の端部を結んだ線が、平面視でジグザグとなっている。すなわち、隣り合うフィン端部を結んだ線が、平面視で、フィン長手方向に沿った線に直交する直線とならないように、フィン端部相互が不揃いに列設されている。
【００１３】
図２は第２形態例を示し、同図（ａ）が正面図、（ｂ）が平面図である。このヒートシンク１１０は、フィンと１１１と基板１１２と別個に形成された後、基板１１２の上にフィン１１１を列設させながら接着剤、ろう付、かしめ等により接合した例である。フィン１１１は、基板１１２と略同じ長さのものと、それより短いものの２種類を用意し、一端側端部を基板１１２側端に合わせて接合することで形成されている。図示のように、フィン１１１の他端側の端部を結んだ線が、平面視でジグザグとなっている。すなわち、隣り合うフィン端部を結んだ線が、平面視で、フィン長手方向に沿った線に直交する直線とならないように、フィン端部相互が不揃いに列設されている。
【００１４】
第１形態例のように、アルミ押出材で形成すると、押出型からの制約で、フィン間の間隔を狭くすることに限界が生じるが、本形態例（以下の形態例も同じ）のように、フィンを後に接合する形態では、そのような制約がなく、アルミ押出材よりもフィン間の間隔をより狭くすることができる。
【００１５】
図３は第３形態例を示し、同図（ａ）が正面図、（ｂ）が平面図である。このヒートシンク１２０は、基本的には第２形態例と同じであるが、フィン１２１がすべて前記第２形態例における短いものを用い、列設されるフィン１２１を１個おきに基板１２２の一側端と他側端とにそれぞれ合わせて接合した例である。図示のように、フィン１２１端部を結んだ線が、両端のいずれ側でも、平面視でジグザグとなっている。すなわち、隣り合うフィン端部を結んだ線が、平面視で、フィン長手方向に沿った線に直交する直線とならないように、フィン端部相互が不揃いに列設されている。
【００１６】
前記第２形態例では、長さの異なるフィンをそれぞれ用意する必要があったが、本形態例では、１種類の長さのフィンのみ用意すれば足りるので、製造工程が容易となり、かつコストが低減する。
【００１７】
図４は第４形態例を示し、同図（ａ）が正面図、（ｂ）が平面図である。このヒートシンク１３０は、フィン１３１と基板１３２とが別個に形成されるものではあるが、第２形態例及び第３形態例のようにフィンが１個ずつ形成されるのではなく、図６に示すような１枚の金属板１３３を何重かに折り込むことで列設状のフィン１３１が１度に形成される形態であり、いわゆるコルゲート状フィンからなる形態である。図６に示すように、折り込む前の展開状態の金属板１３３においては、フィン一端側となる端面１３３ａは直線状となるが、他端側となる端面１３３ｂは、隣り合うフィンのうち一方側端部が短くなるように、任意に切り欠き工程がなされている。これにより、折り込んだ後は、図４に示すように、フィン１３１の一端側の端部を結んだ線が、平面視でジグザグとなっている。すなわち、隣り合うフィン端部を結んだ線が、平面視で、フィン長手方向に沿った線に直交する直線とならないように、フィン端部相互が不揃いに列設されている。なお、この形態例のフィン１３１と基板１３２との接合は、第２形態例及び第３形態例と同様に、接着剤、ろう付等により行われる。同じ形態でも、かしめによりフィンと基板とが接合される場合は、図６に示すように、基板１４２にフィン１４１をかしめるための溝が形成されることになる。
【００１８】
本形態例においても、第２形態例及び第３形態例と同様に、第１形態例のような押出型からの制約がないので、第１形態例とくらべてフィン間隔をより狭くすることができるものとなっているが、さらに、それら第２形態例及び第３形態例よりもフィン間隔を狭くすることが可能となっている。すなわち、これを図５を用いて説明すると、図示のような１枚１枚フィン１０が独立した第２形態例及び第３形態例のフィン形態であると、フィン間隔が狭くなるほど、フィンの傾きによる隣接フィン相互の接触の可能性が大きくなる。フィン傾きによる接触部は、目詰まりの原因となり（図中Ｘ部）、放熱効果の低下に繋がる（特に目詰まり部Ｘを形成するフィン傾斜角が鋭角となるので目詰まり範囲も広くなる）。このため、これら形態にあっては、フィン１０の傾きによる目詰まりを考慮する必要から、フィン間の間隔を狭くするには、やはり一定の制約が課されることになる。これに対して、本形態例のようなコルゲートフィンは、上板部分（図４中Ｙ部分）がフィン相互を支えあっているので、フィン相互が傾くことによる目詰まりのおそれがまったくない。つまり、フィン相互の傾きによる目詰まりからの制約がないため、本形態例では、第２形態例及び第３形態例よりも、フィン間の間隔をより狭くすることができる。それに加えて、前記第３形態例ではフィン１２１の位置決め等の工程が必要であったが、本形態例のコルゲート状フィン１３１を用いれば、そのような工程が不要となり、製造工程上も好ましい形態になっている。なお、本形態例のコルゲートフィンは、上板部分Ｙの分だけ放熱面積が拡がることにもなり、その点で第２形態例及び第３形態例よりも放熱特性が向上するものとなっている。
【００１９】
なお、コルゲート状フィンの場合であっても、展開状態における切り込みを変化させれば、フィンの形状が種々変更できることになる。その一例を図８乃至図１１において示す。図８乃至図１０に示す各形態は、フィン一端側ｂのみジグザグ状となるが、図１１に示す形態は両端側ａ，ｂともジグザグ状となる。
【００２０】
【実施例】
本発明の構造について、一定の条件のもと、従来構造と比較しながら、放熱特性及び構造上の特性を検討した。本発明の実施例は、図１２に示す構造を基本とするがフィン端部は図１４に示すとおりである。一方、従来構造は、図１３を示す構造を基本とするがフィン端部は図１５に示すとおりである。なお、以下の実施例のうち、放熱特性に関する実施例１のデータ（表２及び図１６に示すグラフ）は、シミュレーションプログラムを用いたコンピュータによる計算値である。
【００２１】
実施例１：図１４に示すように、フィン先端部の間隔Ｂを３．２ｍｍに設定した場合（一般的に塵や埃の多い場所で使われるヒートシンクの最少フィン間隔として３．２ｍｍが適用される場合が多い）の本発明の一形態例の放熱特性を検討した。仕様の詳細は下記の表１に示すとおりである。図示のように、隣り合う一方のフィン先端が内側に入り込んでおり、フィン先端間隔Ｂを３．２ｍｍに設定すると、フィン自体の間隔Ａ’は２．２６ｍｍで済み、図１５に示す従来のミニマム間隔Ａより大幅に狭くすることが可能となっている。このため、本実施例１において列設されるフィン枚数は４０枚と、従来品の３０枚と比べて大幅に増加させることができている。
【００２２】
【表１】
2004111690.tif 000003
【００２３】
この実施例１と従来品との具体的放熱特性を検討した。従来品の仕様は、上記表１のとおりである。風速が０．５〜５ｍ／ｓの範囲の所定段階における両者の熱抵抗（Ｋ／Ｗ）をシミュレートして計算した。下記表２及び図１６のグラフに計算値を示す。いずれの風速においても、実施例１の放熱特性が従来品より向上しており、平均で約１．３倍の向上が見られた。
【００２４】
【表２】
2004111690.tif 000004
【００２５】
実施例２：上記表２に示す、従来品と同じ放熱特性を示す実施例１の仕様を計算して調べた。フィン長、フィン高さ、フィン肉厚、フィン枚数については条件を一致させるものとすると、下記表３に示すように、ヒートシンク幅は従来品が１０８．４ｍｍなのに対し、実施例２では８０．２ｍｍとなり、２６％も体積が小さくなる。すなわち、同一放熱特性の場合であれば、包絡体積を格段に低減させて、ヒートシンクのコンパクト化が図れることが理解できる。
【００２６】
【表３】
2004111690.tif 000005
【００２７】
【発明の効果】
以上説明したように、この発明に係るヒートシンクによれば、フィン間隔を従来のものより狭くしても、目詰まりが生じるおそれが減少し、そのため従来のものよりフィンの数を増加させることができるので、放熱特性をより向上させることができる。また、従来と同じ放熱特性でよいのであれば、ヒートシンク全体の幅を小さくすることができるので、従来よりコンパクトな構造とすることができる。
【図面の簡単な説明】
【図１】第１形態例を示し、同図（ａ）が正面図、（ｂ）が平面図である。
【図２】第２形態例を示し、同図（ａ）が正面図、（ｂ）が平面図である。
【図３】第３形態例を示し、同図（ａ）が正面図、（ｂ）が平面図である。
【図４】第４形態例を示し、同図（ａ）が正面図、（ｂ）が平面図である。
【図５】フィンが１枚１枚独立したフィン形態の場合の目詰まり状況を示した説明図である。
【図６】第４形態例において接合形態をかしめとした変更例であり、同図（ａ）が正面図、（ｂ）が平面図である。
【図７】第４形態例に用いられるコルゲートフィンの展開例の説明図である。
【図８】他のコルゲートフィンの展開例の説明図である。
【図９】他のコルゲートフィンの展開例の説明図である。
【図１０】他のコルゲートフィンの展開例の説明図である。
【図１１】他のコルゲートフィンの展開例の説明図である。
【図１２】本発明の作用を説明するための一形態例を示し、同図（ａ）が正面図、（ｂ）が平面図である。
【図１３】従来構造を示し、同図（ａ）が正面図、（ｂ）が平面図である。
【図１４】実施例１のヒートシンクのフィン端部の拡大図である。
【図１５】実施例１の比較のための従来構造のフィン端部の拡大図である。
【図１６】実施例１の放熱特性の結果を示したグラフである。
【図１７】従来構造のヒートシンクの目詰まり状態を示すフィン端部の拡大図である。（ａ）は目詰まりがあるがまだ空気の流れがある状態、（ｂ）は完全な目詰まりで空気の流れが遮断された状態をそれぞれ示す。
【符号の説明】
１，２，１００，１１０，１２０，１３０，１４０　　　　　　ヒートシンク
１０１，１１１，１２１，１３１，１４１　　　　　　　　フィン
１０２，１１２，１２２，１３２，１４２　　　　　　　　基板
１３３　　　　　　　　　　　　　　　　金属板
【図１】
2004111690.tif 000006
【図２】
2004111690.tif 000007
【図３】
2004111690.tif 000008
【図４】
2004111690.tif 000009
【図５】
2004111690.tif 000010
【図６】
2004111690.tif 000011
【図７】
2004111690.tif 000012
【図８】
2004111690.tif 000013
【図９】
2004111690.tif 000014
【図１０】
2004111690.tif 000015
【図１１】
2004111690.tif 000016
【図１２】
2004111690.tif 000017
【図１３】
2004111690.tif 000018
【図１４】
2004111690.tif 000019
【図１５】
2004111690.tif 000020
【図１６】
2004111690.tif 000021
【図１７】
2004111690.tif 000022